(57)【要約】【課題】適応変調における受信品質測定時とデータ受信時の受信品質のずれを解消し、スループットを最適化すること。【解決手段】移動局１０は、データを受信するためのアンテナ１１と、受信品質を測定するためのアンテナ１２とを有する。アンテナ１２で測定した受信品質を、移動局１０がアンテナ１１とアンテナ１２の距離だけ進行方向に移動するのに要する時間から、移動局１０と基地局の間で情報をやり取りするために要する時間を減算した時間だけ遅延させて、基地局へ通知することにより、アンテナ１１は、受信品質に対応する最適な送信フォーマットのデータを基地局から受信することができる。【選択図】        図２
2010021647.tif 000002
【特許請求の範囲】
【請求項１】
離間して設けられた第１のアンテナと、第２のアンテナとを備えた移動局において、
該第１のアンテナが設けられた位置から該第２のアンテナが設けられた位置に向けた方向に該移動局が移動する場合に、基地局から該第２のアンテナを介して受信した無線信号の受信品質を測定する受信品質測定部と、
該受信品質測定部で測定した受信品質を前記基地局に通知する通知部と、
該通知部により通知された受信品質に基づいて適応変調制御を行う該基地局から送信され、前記第１のアンテナを介して受信した無線信号の受信処理を行う受信処理部と
を備えたことを特徴とする移動局。
【請求項２】
前記通知は、前記適応変調制御が行われるタイミングに合わせて、遅延して実行されることを特徴とする請求項１に記載の移動局。
【請求項３】
前記受信処理は、前記移動局の移動により、前記受信品質が測定された際に前記第２のアンテナが位置していたエリアに、前記第１のアンテナが位置する際に行われることを特徴とする請求項１に記載の移動局。
【請求項４】
該移動局が前記第１のアンテナと前記第２のアンテナの距離だけ進行方向に移動するのに要する時間から、該移動局と前記基地局の間で情報をやり取りするために要する時間を減算した値に基づいて、遅延時間を決定する遅延量決定部と、
前記受信品質測定部によって測定された受信品質が前記基地局に通知されるタイミングを前記遅延量決定部によって決定された遅延時間だけ遅延させる遅延処理部と
を備えたことを特徴とする請求項１に記載の移動局。
【請求項５】
当該の移動局の移動速度を取得する移動速度取得部をさらに備え、
前記遅延量決定部は、前記移動速度取得部によって取得された移動速度と、前記第１のアンテナと前記第２のアンテナの距離とに基づいて、当該の移動局が前記第１のアンテナと前記第２のアンテナの距離だけ進行方向に移動するのに要する時間を算出することを特徴とする請求項４に記載の移動局。
【請求項６】
前記第１のアンテナの受信品質を測定する第２の受信品質測定部をさらに備え、
前記遅延量決定部は、前記受信品質測定部によって測定された受信品質と前記第２の受信品質測定部によって測定された受信品質の相関に基づいて、当該の移動局が前記第１のアンテナと前記第２のアンテナの距離だけ進行方向に移動するのに要する時間を求めることを特徴とする請求項４に記載の移動局。
【請求項７】
前記遅延量決定部によって決定される遅延時間が、０以上、かつ、所定の閾値以下となるように前記第１のアンテナと前記第２のアンテナの距離を変化させるアンテナ駆動部をさらに備えたことを特徴とする請求項４に記載の移動局。
【請求項８】
複数のアンテナから、前記遅延量決定部によって決定される遅延時間が、０以上、かつ、最小となるアンテナを前記第２のアンテナとして選択するアンテナ選択部をさらに備えたことを特徴とする請求項４に記載の移動局。
【請求項９】
複数のアンテナから、前記第１のアンテナからみて当該の移動局の進行方向に最も近いアンテナを前記第２のアンテナとして選択するアンテナ選択部をさらに備えたことを特徴とする請求項１に記載の移動局。
【請求項１０】
基地局において、
離間して設けられた第１のアンテナと、第２のアンテナとを備えた移動局が該第１のアンテナが設けられた位置から該第２のアンテナが設けられた位置に向けた方向に移動する場合に、該移動局が該第２のアンテナを介して該基地局から受信した無線信号の受信品質の通知を受信する受信部と、
受信した該受信品質に基づいて送信信号について適応変調制御を行う適応変調制御部と、
該適応変調制御が行われた前記送信信号を前記移動局が前記第１のアンテナで受信可能なように送信する送信部と、
を備えたことを特徴とする基地局。
【発明の詳細な説明】
【技術分野】
【０００１】
この発明は、移動局と適応変調に対応した基地局とに関する。
【背景技術】
【０００２】
移動通信においては、フェージングと呼ばれる受信レベルの短時間変動が生じることが知られている（図１８参照）。近年の移動通信では、フェージング環境下での特性劣化を克服するために、適応変調技術が広く使われている。適応変調とは、受信側の受信レベルに応じて送信フォーマットを変化させる技術であり、各時点での最適な送信フォーマットを選ぶことにより、フェージング環境下でも良好な通信を行うことができる。
【０００３】
送信側の装置は、例えば、受信側の受信品質を用いて適応変調を行う。そこで、受信側の装置は、測定した受信品質情報（ＣＱＩ：Channel Quality Indicator）を送信側に通知し、送信側の装置は、通知された通信品質情報に基づいて送信フォーマットを決める（図１９参照）。
【０００４】
【特許文献１】特開２００３−１９８４２６号公報
【発明の開示】
【発明が解決しようとする課題】
【０００５】
しかしながら、高速なフェージング環境下では、測定時と受信時で受信品質が異なるため、適応変調が有効に機能せずに特性が劣化することがある。図１８の例で説明すると、車両１に搭載された通信装置のアンテナ１１によって測定されたＣＱＩが基地局２に送信され、ＣＱＩに対応する送信フォーマットのデータが基地局２から到着するまでの間に、車両１は異なる地点に移動している。そして、移動速度が高速であると、この間の車両１の移動距離が長くなり、アンテナ１１の受信品質が、ＣＱＩ送信時と変化して、基地局２から送信されるデータの送信フォーマットが現時点の受信品質に最適なものではなくなっている可能性が高くなる。
【０００６】
このような理由から、例えば、ＨＳＤＰＡ（High Speed Downlink Packet Access）で適応変調の一種であるＡＭＣ（Adaptive Modulation and Coding）を用いた場合、３０ｋｍ／ｈでの環境（ＶＡ３０）に比べて、１２０ｋｍ／ｈの環境（ＶＡ１２０）では、最大スループットが約１５％低下することが知られている。今後、通信速度を向上させるために、使用される電波の周波数が高くなることが予想され、高速なフェージング環境下での特性劣化はさらに大きくなると考えられる。
【０００７】
開示の技術は、移動局の移動による無線環境の変化に対応した移動局又は基地局を提供することを目的とする。
【課題を解決するための手段】
【０００８】
上述した課題を解決し、目的を達成するため、本願の開示する移動局は、一つの態様において、離間して設けられた第１のアンテナと、第２のアンテナとを備えた移動局において、該第１のアンテナが設けられた位置から該第２のアンテナが設けられた位置に向けた方向に該移動局が移動する場合に、基地局から該第２のアンテナを介して受信した無線信号の受信品質を測定する受信品質測定部と、該受信品質測定部で測定した受信品質を前記基地局に通知する通知部と、該通知部により通知された受信品質に基づいて適応変調制御を行う該基地局から送信され、前記第１のアンテナを介して受信した無線信号の受信処理を行う受信処理部とを備える。
【０００９】
この発明の態様によれば、データを受信する第１のアンテナから進行方向に所定の距離だけ離れた位置に第２のアンテナを設置し、第２のアンテナの受信品質を、当該の移動局がアンテナ間の距離だけ移動するのに要する時間に応じて遅延させて基地局へ送信することとしたので、適応変調における受信品質測定時とデータ受信時の受信品質のずれを解消し、スループットを最適化することができる。
【００１０】
なお、本願の開示する移動局の構成要素、表現または構成要素の任意の組合せを、方法、装置、システム、コンピュータプログラム、記録媒体、データ構造などに適用したものも上述した課題を解決するために有効である。
【発明の効果】
【００１１】
本発明によれば、移動局の移動による無線環境の変化に対応した移動局および基地局を提供できる。
【発明を実施するための最良の形態】
【００１２】
以下に添付図面を参照して、本願の開示する移動局および基地局の好適な実施の形態を詳細に説明する。
【実施例１】
【００１３】
本実施例に係る適応変調方法について説明する。図１は、本実施例に係る適応変調方法を示す図である。図１に示すように、本実施例に係る適応変調方法は、車両１に搭載された通信装置が、アンテナ１１に加えて、アンテナ１２を有する。アンテナ１２は、アンテナ１１の設置位置から、車両１の進行方向に所定の距離ずらした位置に設置される。
【００１４】
既に説明した通り、フェージングの主要因は空間にできた定在波である。したがって、アンテナ１２で測定された受信品質は、アンテナ１１がアンテナ１２の位置に到達した場合に測定される未来の受信品質、あるいは、それに近い値になるはずである。
【００１５】
この原理に基づいて、本実施例に係る適応変調方法では、アンテナ１２が受信品質を測定した地点と、その受信品質に基づいて決定された送信フォーマットのデータをアンテナ１１が受信する地点が一致するように、受信品質情報の送信タイミングが調整される。このように、受信品質情報の送信タイミングを調整することにより、アンテナ１１は、常に受信品質に適合した送信フォーマットのデータを受信することが可能になり、高速移動時のスループットが向上する。
【００１６】
次に、本実施例に係る適応変調方法を実現するための装置である移動局１０と基地局２の構成について説明する。図２は、移動局１０の構成を示す機能ブロック図である。図２に示すように移動局１０は、アンテナ１１と、アンテナ１２と、デュプリケータ（以下「ＤＵＰ」という）１２１と、復調化／復号部１３１と、受信品質測定部１４２と、速度取得部１５１と、遅延量決定部１５２と、遅延処理部１５３と、受信品質情報生成部１６１と、符号化／変調部１６２とを有する。
【００１７】
アンテナ１１および１２は、無線通信用の電波の送受信用のアンテナであり、アンテナ１２は、アンテナ１１の位置から移動局１０の進行方向に距離Ｌだけ離れた位置に設置される。ＤＵＰ１２１は、アンテナ１１が送信する信号の入力を受け付けるとともに、アンテナ１１によって受信された信号を出力する。復調化／復号部１３１は、ＤＵＰ１２１から出力された信号に対して復調化処理および復号処理をおこない、ユーザデータを再生して出力する。なお、復調化／復号部１３１が、実行する復調化処理および復号処理は、ＤＵＰ１２１から出力された信号から判定される送信フォーマットに応じて変化する。
【００１８】
受信品質測定部１４２は、アンテナ１２によって受信される電波の受信品質を測定する。受信品質は、例えば、ＳＩＲ（Signal-to-Interference Ratio）値として求められる。速度取得部１５１は、移動局１０が進行方向に移動する移動速度を取得する。移動速度は、例えば、移動局１０が車両に搭載されている場合は、タイヤの回転数等から取得される。
【００１９】
遅延量決定部１５２は、受信品質測定部１４２によって測定された受信品質を基地局２へ通知するタイミングを調整するための遅延量を決定する。ここで、遅延量Ｔは、アンテナ１１と１２の距離をＬ、速度取得部１５１によって取得された速度をｖ、基地局２へ受信品質情報を送信してから対応する送信フォーマットのデータが届くまでの時間をＤとすると、以下の式（１）によって算出される。
【００２０】
Ｔ  ＝  ｜Ｌ／ｖ｜−Ｄ      ・・・式（１）
【００２１】
例えば、アンテナ間の距離が１０ｃｍ、移動速度が３０ｋｍ／ｈとすると、移動局１０が１０ｃｍ移動するのにかかる時間は、
０．１  ／  ３００００  ×  ３６００  ＝  ０．０１２ｓ  ＝  １２ｍｓ
である。そして、無線通信がＨＳＤＰＡ方式であるとすると、基地局２へ受信品質情報を送信してから対応する送信フォーマットのデータが届くまでの時間は１０ｍｓなので、遅延量Ｔは、２ｍｓとなる。
【００２２】
この例の場合、アンテナ１２によって受信された電波の品質を受信品質測定部１４２が測定した結果を、２ｍｓ遅延させて基地局２へ送信すれば、アンテナ１１によって受信されるデータの送信フォーマットが受信品質に応じた最適なものとなる。なお、距離Ｌが長いほど、移動速度ｖが高い場合にも、アンテナ１１によって受信されるデータの送信フォーマットを受信品質に適応させ、スループットを最適化することが可能になる。例えば、距離Ｌを１ｍとすれば、移動速度ｖが３００ｋｍ／ｈであっても、遅延量Ｔを２ｍｓとすることで、スループットを最適化することができる。
【００２３】
遅延処理部１５３は、受信品質測定部１４２によって測定された受信品質を、遅延量決定部１５２によって決定された遅延量だけ遅延させて、受信品質情報生成部１６１へ出力する。受信品質情報生成部１６１は、入力された受信品質から、基地局２に受信品質を通知するための受信品質情報を生成する。例えば、受信品質情報生成部１６１は、予め作成しておいた変換テーブルなどを用いて、ＳＩＲ値をＣＱＩに変換することによって受信品質情報を生成する。
【００２４】
また、受信品質情報生成部１６１は、通知する受信品質の精度が高いことを示す値を受信品質情報に含める。一般に、基地局は、高速なフェージング環境下では、実際の受信品質が無線通信端末から通知される受信品質よりも低くなることを想定して、通知された受信品質よりも低い受信品質に適応した送信フォーマットを選択するように設定されていることが多い。受信品質の精度が高いことを示す値を受信品質情報に含めて基地局に送信することにより、基地局は、通知された受信品質に適応した送信フォーマットを選択し、スループットを最適化させることが可能になる。
【００２５】
符号化／変調部１６２は、ユーザデータや、遅延処理部１５３によって生成された受信品質情報に対して符号化処理および変調処理をおこない、ＤＵＰ１２１へ出力し、アンテナ１１から送信させる。
【００２６】
なお、図２に示した構成では、受信品質測定部１４２の出力を遅延処理部１５３が遅延させる構成としたが、受信品質情報生成部１６１の出力を遅延処理部１５３が遅延させる構成としてもよい。
【００２７】
図３は、基地局２の構成を示す機能ブロック図である。図３に示すように、基地局２は、アンテナ２１と、ＤＵＰ２２と、復調化／復号部２３と、送信フォーマット決定部２４と、符号化／変調部２５とを有する。
【００２８】
アンテナ２１は、無線通信用の電波の送受信用のアンテナである。ＤＵＰ２２は、アンテナ２１が送信する信号の入力を受け付けるとともに、アンテナ２１によって受信された信号を出力する。復調化／復号部２３は、ＤＵＰ２２から出力された信号に対して復調化処理および復号処理をおこない、ユーザデータや受信品質情報等を再生して出力する。
【００２９】
送信フォーマット決定部２４は、復調化／復号部２３から出力された受信品質情報に基づいて送信フォーマットを決定する。なお、送信フォーマット決定部２４は、受信品質情報に受信品質の精度が高いことを示す値が含まれているか否かによって選択する送信フォーマットを変更する。具体的には、送信フォーマット決定部２４は、受信品質情報に受信品質の精度が高いことを示す値が含まれていなければ、通知された受信品質よりも所定値だけ低い受信品質に対して最適な送信フォーマットを選択する。一方、送信フォーマット決定部２４は、受信品質情報に受信品質の精度が高いことを示す値が含まれていれば、通知された受信品質に対して最適な送信フォーマットを選択する。
【００３０】
符号化／変調部２５は、送信フォーマット決定部２４によって決定された送信フォーマットに従って、ユーザデータ等に対して符号化処理および変調処理をおこない、ＤＵＰ２２へ出力し、アンテナ２１から送信させる。
【００３１】
上述してきたように、本実施例では、データを受信するアンテナ１１から進行方向に所定の距離だけ離れた位置にアンテナ１２を設置し、アンテナ１２の受信品質を、アンテナ間の距離や移動速度等に応じて遅延させて基地局２へ送信することとしたので、移動局１０が高速で移動している場合であっても、アンテナ１１によって受信されるデータの送信フォーマットを最適にし、スループットを向上させることができる。
【実施例２】
【００３２】
実施例１では、アンテナを２本用いる例を示したが、アンテナを３本以上用いることにより、さらにスループットの向上を図ることができる。そこで、本実施例では、適応変調のためにアンテナを３本用いる例を示す。なお、以下の説明では、既に説明した部位と同一の部位には、既に説明した部位と同一の符号を付して、重複する説明を省略することとする。
【００３３】
図４は、本実施例に係る移動局２０の構成を示す機能ブロック図である。図４に示すように、移動局２０は、アンテナ１１〜１３と、ＤＵＰ１２１と、復調化／復号部１３１と、受信品質測定部１４２と、受信品質測定部２４３と、速度取得部１５１と、遅延量決定部２５２と、遅延処理部１５３と、遅延処理部２５４と、重み決定部２６１と、演算部２６２ａと、演算部２６２ｂと、受信品質合成部２７１と、受信品質情報生成部１６１と、符号化／変調部１６２とを有する。
【００３４】
アンテナ１３は、無線通信用の電波の送受信用のアンテナであり、アンテナ１２の位置から移動局１０の進行方向に距離Ｌだけ離れた位置に設置される。受信品質測定部２４３は、受信品質測定部１４２と同様の装置であり、アンテナ１３によって受信される電波の受信品質を測定する。
【００３５】
遅延量決定部２５２は、受信品質測定部１４２および受信品質測定部２４３によって測定された受信品質を基地局２へ通知するタイミングを調整するための遅延量を決定する。具体的には、遅延量決定部２５２は、受信品質測定部１４２によって測定された受信品質については、実施例１と同様に、式（１）で求められる遅延量だけ遅延させる。そして、遅延量決定部２５２は、受信品質測定部２４３によって測定された受信品質については、以下の式（２）で求められる遅延量Ｔ´だけ遅延させる。
【００３６】
Ｔ´  ＝  ｜Ｌ×２／ｖ｜−Ｄ      ・・・式（２）
【００３７】
ここで、距離Ｌを２倍にしているのは、アンテナ１１とアンテナ１３の間隔が距離Ｌの２倍だからである。したがって、アンテナ１１とアンテナ１３の間隔が距離Ｌの１．５倍であれば、式２において距離Ｌに乗じる値は１．５になる。遅延処理部２５４は、受信品質測定部２４３によって測定された受信品質を、遅延量決定部２５２によって決定された遅延量だけ遅延させて出力する。
【００３８】
重み決定部２６１は、速度取得部１５１によって取得された速度に応じて、遅延処理部１５３が出力した受信品質に乗じる重みであるｗ１と、遅延処理部２５４が出力した受信品質に乗じる重みであるｗ２とを決定する。アンテナ１２によって受信された電波の受信品質と、アンテナ１３によって受信された電波の受信品質とを合成することにより、アンテナ１２によって受信された電波の受信品質のみを用いる場合と比較して、アンテナ１１の未来の受信品質をより高い精度で予測できる。
【００３９】
ただし、アンテナ１２によって受信された電波の受信品質と、アンテナ１３によって受信された電波の受信品質とを比較すると、アンテナ１２によって受信された電波の受信品質の方が、遅延が少ない分だけ確からしい。そこで、重み決定部２６１は、ｗ１＝０．６、ｗ２＝０．４というように、遅延が少ない方の受信品質に乗じる重みを大きく設定する。なお、移動速度が高くなるほど、遅延差は小さくなるため、重み決定部２６１は、移動速度が高くなるにつれて、ｗ１とｗ２の差を小さくする。
【００４０】
演算部２６２ａは、遅延処理部１５３が出力した受信品質に重みｗ１を乗じる。演算部２６２ｂは、遅延処理部２５４が出力した受信品質に重みｗ２を乗じる。受信品質合成部２７１は、演算部２６２ａの出力と演算部２６２ｂの出力を加算する等して合成し、合成後の受信品質を受信品質情報生成部１６１に出力する。なお、受信品質の合成は、単純な加算以外に、平均値の算出等の各種演算によっておこなってもよい。
【００４１】
上述してきたように、本実施例では、移動局２０の進行方向にアンテナ１１〜１３という３本のアンテナを並べて、アンテナ１２および１３で受信された電波の受信品質を、アンテナ１１からの距離に応じて遅延させ、重み付けをして合成することとしたので、アンテナ１１の受信品質の予測精度を高め、スループットを向上させることができる。
【実施例３】
【００４２】
実施例１および２では、アンテナ１２および１３を受信品質の測定のためだけに用いる例を示したが、これらをデータの送受信にも用いることにより、送受信性能を向上させることができる。そこで、本実施例では、２本のアンテナを用いてダイバーシティ受信をおこなうように移動局１０を変形した例を示す。
【００４３】
図５は、本実施例に係る移動局３０の構成を示す機能ブロック図である。図５に示すように、移動局３０は、アンテナ１１と、アンテナ１２と、ＤＵＰ１２１と、ＤＵＰ３２２と、復調化／復号部３３１と、受信品質測定部１４２と、速度取得部１５１と、遅延量決定部１５２と、遅延処理部１５３と、受信品質合成部３７１と、受信品質情報生成部１６１と、符号化／変調部１６２とを有する。
【００４４】
ＤＵＰ３２２は、アンテナ１２が送信する信号の入力を受け付けるとともに、アンテナ１２によって受信された信号を出力する。復調化／復号部３３１は、ＤＵＰ１２１および３２２から出力された信号に対して復調化処理および復号処理をおこない、ユーザデータを再生して出力する。なお、復調化／復号部３３１が、実行する復調化処理および復号処理は、ＤＵＰ１２１および３２２から出力された信号から判定される送信フォーマットに応じて変化する。
【００４５】
受信品質合成部３７１は、受信品質測定部１４２の測定した受信品質を遅延処理部が遅延量Ｔだけ遅延させたものと、遅延させていない受信品質とを、加算する等して合成して受信品質情報生成部１６１に出力する。
【００４６】
複数のアンテナを用いて電波を受信する場合、一般的には、それぞれのアンテナで測定された受信品質のうち最も高い値が基地局に通知される。ところが、データ受信時の受信品質を予測して基地局に通知することによりスループットの向上を図ることとした場合、遅延処理によってアンテナ１１のデータ受信時の受信品質を予測することはできるが、アンテナ１２の受信品質を予測することはできない。そこで、本実施例に係る適応変調方法では、アンテナ１２の受信品質については、最新の値をそのまま用いて、それぞれのアンテナの受信品質を合成したものを基地局に通知することとしている。
【００４７】
なお、受信品質の予測精度は、遅延が考慮されているアンテナ１１の受信品質の方が高いはずであるため、アンテナ１１の受信品質に大きな重みを加えて、アンテナ１２の受信品質には小さな重みを加えて、合成することとしてもよい。
【００４８】
図６は、ＨＳＤＰＡでＡＭＣを用いた場合のスループットのシミュレーション結果を示す図である。図６の縦軸は、スループットであり、横軸は、受信品質の測定時のＳＩＲ値とデータ受信時のＳＩＲ値の相関値である。横軸の相関値は、移動局３０が静止しているときに１となり、移動局３０が極めて高速に移動しているときに０になる。図６から分かるように、通常は、高速移動時に３割程特性が劣化するが、本実施例に係る適応変調方法を用いることにより、１割程特性が改善する。
【００４９】
上述してきたように、本実施例では、受信品質の測定のために設けたアンテナ１２をデータの送受信のためにも用いることとしたので、送受信性能を向上させることができる。
【実施例４】
【００５０】
実施例１〜３では、移動局の進行方向が１方向である場合の例を示したが、例えば、移動局が鉄道車両に搭載されている場合には、移動局は、１方向だけでなく、逆方向にも移動することになる。そこで、本実施例では、逆方向に移動する場合でもスループットを最適化できるように、移動局３０を変形した例を示す。
【００５１】
図７は、本実施例に係る移動局４０の構成を示す機能ブロック図である。図７に示すように、移動局４０は、アンテナ１１と、アンテナ１２と、ＤＵＰ１２１と、ＤＵＰ３２２と、復調化／復号部３３１と、受信品質測定部４４１と、受信品質測定部１４２と、速度取得部１５１と、遅延量決定部４５２と、遅延処理部１５３と、遅延処理部４５４と、重み決定部４６１と、演算部４６２ａ〜４６２ｄと、受信品質合成部４７１と、受信品質情報生成部１６１と、符号化／変調部１６２とを有する。
【００５２】
受信品質測定部４４１は、アンテナ１１によって受信される電波の受信品質を測定する。受信品質は、例えば、ＳＩＲ値として求められる。遅延量決定部４５２は、既に説明した式（１）に基づいて、受信品質を基地局２へ通知するタイミングを調整するための遅延量を決定し、決定した遅延量を遅延処理部１５３と遅延処理部４５４へ出力する。遅延処理部４５４は、受信品質測定部４４１によって測定された受信品質を、遅延量決定部４５２によって決定された遅延量だけ遅延させて出力する。
【００５３】
重み決定部４６１は、速度取得部１５１によって取得された速度に応じて、受信品質測定部４４１に測定され、遅延処理部４５４によって遅延された受信品質に乗じる重みであるｗ１と、受信品質測定部４４１に測定され、遅延されていない受信品質に乗じる重みであるｗ２と、受信品質測定部１４２に測定され、遅延処理部１５３によって遅延された受信品質に乗じる重みであるｗ３と、受信品質測定部１４２に測定され、遅延されていない受信品質に乗じる重みであるｗ４とを決定する。
【００５４】
ここで、移動局４０がアンテナ１２の方向に移動する場合に、速度取得部１５１によって正の速度が取得され、移動局４０がアンテナ１１の方向に移動する場合に、速度取得部１５１によって負の速度が取得されるものとする。この場合、重み決定部４６１は、速度取得部１５１によって正の速度が取得されると、例えば、
ｗ１  ＝  ｗ２  ＝  ０，  ｗ３  ＝  ｗ４  ＝  １
のように重みを決定する。このように重みを決定すると、進行方向側のアンテナ１２によって受信された電波の受信品質のみを利用して未来の受信品質が予測されることとなり、図５の構成と同様の効果が得られる。
【００５５】
また、重み決定部４６１は、速度取得部１５１によって負の速度が取得されると、例えば、
ｗ１  ＝  ｗ２  ＝  １，  ｗ３  ＝  ｗ４  ＝  ０
のように重みを決定する。このように重みを決定すると、進行方向側のアンテナ１１によって受信された電波の受信品質のみを利用して未来の受信品質が予測されることとなり、図５の構成と同様の効果が得られる。
【００５６】
このように、全てのアンテナによって受信された電波の受信品質を測定し、進行方向に応じて各アンテナの受信品質の重み付けを変更することにより、移動局４０が逆方向に移動する場合にもスループットを最適化することができる。
【００５７】
なお、移動速度が極端に遅い場合は、遅延時間が極端に長くなるために、その間に空間の定在波の分布が変化してしまい、予測精度が落ちると考えられる。そこで、移動速度が所定の閾値よりも低い場合には、例えば、
ｗ１  ＝  ｗ３  ＝  ０，  ｗ２  ＝  ｗ４  ＝  １
として、現時点の受信品質を基地局２へ通知させるように重み決定部４６１を構成してもよい。
【００５８】
また、移動速度の閾値を複数設けて、移動速度が中間的な値であれば、例えば、
ｗ１  ＝  ０，  ｗ２  ＝  ｗ３  ＝  ０．５，  ｗ４  ＝  １  
のように中間的な重みにすることで、特性改善を改善するように重み決定部４６１を構成してもよい。
【００５９】
演算部４６２ａは、遅延処理部４５４が出力した受信品質に重みｗ１を乗じる。演算部４６２ｂは、受信品質測定部４４１が出力した受信品質に重みｗ２を乗じる。演算部４６２ｃは、遅延処理部１５３が出力した受信品質に重みｗ３を乗じる。演算部４６２ｄは、受信品質測定部１４２が出力した受信品質に重みｗ４を乗じる。受信品質合成部４７１は、演算部４６２ａ〜４６２ｄの出力を加算する等して合成し、合成後の受信品質を受信品質情報生成部１６１に出力する。
【００６０】
上述してきたように、本実施例では、アンテナ１２だけでなくアンテナ１１の受信品質も測定し、速度取得部１５１によって取得された速度に応じて各受信品質の重みを変更することとしたので、移動局４０が１方向だけでなく、逆方向に移動する場合でも、スループットを向上させることができる。
【実施例５】
【００６１】
実施例１〜４では、移動局が、外部から移動速度に関するデータを取得して受信品質の通知の遅延時間を決定する例を示したが、移動局が外部からの移動速度に関するデータの供給を受けることなく遅延時間を決定するように構成することもできる。そこで、本実施例では、外部からの移動速度に関するデータの供給を受けることなく遅延時間を決定するように移動局４０を変形した例を示す。
【００６２】
図８は、本実施例に係る移動局５０の構成を示す機能ブロック図である。図８に示すように、移動局５０は、アンテナ１１と、アンテナ１２と、ＤＵＰ１２１と、ＤＵＰ３２２と、復調化／復号部３３１と、受信品質測定部４４１と、受信品質測定部１４２と、相関算出部５５５と、最大相関判定部５５６と、遅延量決定部５５２と、遅延処理部１５３と、遅延処理部４５４と、重み決定部５６１と、演算部４６２ａ〜４６２ｄと、受信品質合成部４７１と、受信品質情報生成部１６１と、符号化／変調部１６２とを有する。
【００６３】
相関算出部５５５は、受信品質測定部４４１によって測定された受信品質と、受信品質測定部１４２によって測定された受信品質とを所定の期間記憶し、それぞれの時間変化波形の相関を算出する。具体的には、相関算出部５５５は、受信品質測定部４４１によって測定された受信品質の時間変化波形をΔｔずつ段階的に時間軸方向にずらしながら、受信品質測定部１４２によって測定された受信品質の時間変化波形との相関を段階毎に算出する。なお、相関の算出方式は、従来知られているどの方式であってもよい。
【００６４】
最大相関判定部５５６は、相関算出部５５５によって算出された各段階の相関を比較し、相関が最も高い段階でのΔｔの累計値を取得する。そして、最大相関判定部５５６は、Δｔの累計値を、遅延処理部１５３、遅延処理部４５４および重み決定部５６１へ出力する。
【００６５】
受信品質の時間変化波形の相関の一例を図９に示す。図８に示した相関が最も高い段階でのタイミング差ｔｍａｘが、相関が最も高い段階でのΔｔの累計値に相当する。なお、図８に示した例では、正の方向のタイミング差に対応する相関のみを算出しているが、負の方向のタイミング差に対応する相関も算出することにより、移動局５０が逆方向に移動している場合にも対応することが可能になる。
【００６６】
遅延量決定部５５２は、入力されたΔｔの累計値と、基地局２へ受信品質情報を送信してから対応する送信フォーマットのデータが届くまでの時間Ｄとを以下の式（３）に適用して、遅延量Ｔを算出する。そして、遅延量決定部５５２は、算出した遅延量Ｔを、遅延処理部１５３、遅延処理部４５４および重み決定部５６１へ出力する。
【００６７】
Ｔ  ＝  ｜ΣΔｔ｜  −  Ｄ      ・・・式（３）
【００６８】
既に説明した通り、移動局５０がアンテナ１２の方向に移動している場合、アンテナ１２の受信品質は、所定時間後のアンテナ１１の受信品質とほぼ等しいと考えられる。したがって、受信品質測定部４４１によって測定された受信品質の時間変化波形を所定時間分だけ時間軸方向にずらした波形は、受信品質測定部１４２によって測定された受信品質の時間変化波形とほぼ一致するはずである。遅延量決定部５５２は、この原理に基づいて、移動速度が入力されなくても適切な遅延量を決定することができる。
【００６９】
重み決定部５６１は、入力されたΔｔの累計値に応じて、重みｗ１〜ｗ４を決定する。ここで、移動局５０がアンテナ１２の方向に移動する場合に、入力されるΔｔの累計値が正になり、移動局５０がアンテナ１１の方向に移動する場合に、入力されるΔｔの累計値が負になるものとする。この場合、重み決定部５６１は、正の値が入力されると、例えば、
ｗ１  ＝  ｗ２  ＝  ０，  ｗ３  ＝  ｗ４  ＝  １
のように重みを決定する。このように重みを決定すると、進行方向側のアンテナ１２によって受信された電波の受信品質のみを利用して未来の受信品質が予測されることとなり、図５の構成と同様の効果が得られる。
【００７０】
また、重み決定部５６１は、負の値が入力されると、例えば、
ｗ１  ＝  ｗ２  ＝  １，  ｗ３  ＝  ｗ４  ＝  ０
のように重みを決定する。このように重みを決定すると、進行方向側のアンテナ１１によって受信された電波の受信品質のみを利用して未来の受信品質が予測されることとなり、図５の構成と同様の効果が得られる。
【００７１】
なお、移動速度が極端に遅い場合は、遅延時間が極端に長くなるために、その間に空間の定在波の分布が変化してしまい、予測精度が落ちると考えられる。そこで、移動速度が極端に遅い場合、すなわち、入力された値の絶対値が所定の閾値よりも大きい場合には、例えば、
ｗ１  ＝  ｗ３  ＝  ０，  ｗ２  ＝  ｗ４  ＝  １
として、現時点の受信品質を基地局２へ通知させるように重み決定部５６１を構成してもよい。
【００７２】
また、入力値に対する閾値を複数設けて、移動速度が中間的な値であると判定された場合には、例えば、
ｗ１  ＝  ０，  ｗ２  ＝  ｗ３  ＝  ０．５，  ｗ４  ＝  １  
のように中間的な重みにすることで、特性改善を改善するように重み決定部５６１を構成してもよい。
【００７３】
上述してきたように、本実施例では、アンテナ１１の受信品質とアンテナ１２の受信品質の相関に基づいて遅延量を決定することとしたので、外部からの移動速度に関するデータの供給を受けることなく、最適な遅延時間を選択することができる。なお、本実施例では、受信品質の相関に基づいて遅延量を決定することとしたが、パイロット信号等を基準として、アンテナ１１の受信する電波の強度と、アンテナ１２の受信する電波の強度の相関に基づいて遅延量を決定することもできる。
【実施例６】
【００７４】
本実施例に係る適応変調方法を有効に機能させるには、アンテナ間の距離が重要である。図１に示した構成について考えると、アンテナ間の距離Ｌが短いと、式（１）によって算出される遅延量が負の値になってしまい、遅延時間を最適に調整することができない。一方、アンテナ間の距離Ｌが長すぎると、受信品質の通知を遅延させている間に定在波が大きく変化し、基地局から送信されるデータの送信フォーマットが最適なものでなくなっている可能性が高くなる。
【００７５】
したがって、アンテナ間の距離Ｌは、式（１）が負にならない範囲でなるべく小さい値になるように調整されることが好ましい。そこで、本実施例では、移動速度に応じて、アンテナ間の距離Ｌを適切に調整するように移動局１０を変形した例を示す。
【００７６】
図１０は、本実施例に係る移動局６０の構成を示す機能ブロック図である。図１０に示すように、移動局６０は、アンテナ１１と、アンテナ１２と、ＤＵＰ１２１と、アンテナ駆動部６２３と、復調化／復号部１３１と、受信品質測定部１４２と、速度取得部１５１と、遅延量決定部６５２と、遅延処理部１５３と、受信品質情報生成部１６１と、符号化／変調部１６２とを有する。
【００７７】
アンテナ駆動部６２３は、速度取得部１５１によって取得された速度に応じて、アンテナ１２を進行方向に対して前後に移動させる。具体的には、アンテナ駆動部６２３は、速度取得部１５１によって取得された速度を式（１）に適用して得られる遅延量Ｔが
０  ≦  Ｔ  ≦  Ｔｈ
を満たすように、アンテナ１２の位置を制御する。ここで、Ｔｈは、定在波の変化の影響を無視できる程度に十分に短い時間である。また、アンテナ駆動部６２３は、アンテナ１１とアンテナ１２の距離を遅延量決定部６５２に通知する。
【００７８】
遅延量決定部６５２は、速度取得部１５１によって取得された速度と、アンテナ駆動部６２３から通知されたアンテナ間の距離を式（１）に適用して、受信品質を基地局２へ通知するタイミングを調整するための遅延量を決定し、遅延処理部１５３に出力する。
【００７９】
上述してきたように、本実施例では、移動速度に応じてアンテナ間の距離を調整することとしたので、移動速度に関わらず、アンテナ間の距離を最適化し、スループットを向上させることができる。なお、本実施例では、アンテナ１２を移動させることとしたが、アンテナ１１、もしくは、アンテナ１１および１２の両方を移動させることとしてもよい。
【実施例７】
【００８０】
実施例６では、アンテナ間の距離を最適に保つためにアンテナを移動させることとしたが、受信品質を測定するためのアンテナを、データを受信するためのアンテナからの距離を変えて複数設けることによっても同様の効果を得ることができる。そこで、本実施例では、アンテナ間の距離を最適に保つために、受信品質を測定するためのアンテナを複数設けるように移動局１０を変形した例を示す。
【００８１】
図１１は、本実施例に係る移動局７０の構成を示す機能ブロック図である。図１１に示すように、移動局７０は、アンテナ１１と、アンテナ１２ａ〜１２ｅと、ＤＵＰ１２１と、アンテナ選択部７２４と、復調化／復号部１３１と、受信品質測定部１４２と、速度取得部１５１と、遅延量決定部７５２と、遅延処理部１５３と、受信品質情報生成部１６１と、符号化／変調部１６２とを有する。
【００８２】
アンテナ１２ａ〜１２ｅは、アンテナ１１からの距離がそれぞれ異なるように、アンテナ１１の設置位置から、移動局７０の進行方向に所定の距離ずらした位置に設置される。
【００８３】
アンテナ選択部７２４は、アンテナ１２ａ〜１２ｅのそれぞれについて、速度取得部１５１によって取得された速度と、アンテナ１１との距離を式（１）に適用して遅延量Ｔを算出する。そして、アンテナ選択部７２４は、算出された遅延量Ｔが０以上で、かつ、最も小さいアンテナをアンテナ１２ａ〜１２ｅから選択する。そして、アンテナ選択部７２４は、選択したアンテナの受信している信号を受信品質測定部１４２へ出力し、選択したアンテナとアンテナ１１の距離を遅延量決定部７５２に通知する。
【００８４】
遅延量決定部７５２は、速度取得部１５１によって取得された速度と、アンテナ選択部７２４から通知されたアンテナ間の距離を式（１）に適用して、受信品質を基地局２へ通知するタイミングを調整するための遅延量を決定し、遅延処理部１５３に出力する。
【００８５】
上述してきたように、本実施例では、受信品質を測定するためのアンテナを複数設け、移動速度に応じて最適なアンテナを選択することとしたので、移動速度に関わらず、アンテナ間の距離を最適化し、スループットを向上させることができる。
【実施例８】
【００８６】
本実施例に係る適応変調方法を有効に機能させるには、受信品質を測定するためのアンテナと、データを受信するためのアンテナが進行方向に対して直線上に配置されていることが重要である。しかしながら、移動局が車両等に固定的に搭載されている場合、車両等が旋回している間は、進行方向は車両等の正面よりも内向きとなるため、アンテナの並びの方向と進行方向がずれてしまう。
【００８７】
このようにアンテナの並びの方向と進行方向にずれが生じると、進行方向側のアンテナの受信品質が、後方のアンテナの未来の受信品質を表しているとは必ずしも言えず、また、式（１）で算出される遅延量も最適な値ではなくなり、スループットが低下するおそれがある。そこで、本実施例では、車両等が旋回している場合でも、アンテナが進行方向に対して直線上に配置されるように移動局１０を変形した例を示す。
【００８８】
図１２は、本実施例に係る移動局８０を搭載する車両１の旋回中の状態を示す図である。図１２に示すように、移動局８０においては、アンテナ１１とアンテナ１２は、アンテナ回動部８２５上に設置される。アンテナ回動部８２５は、軸８２５ａを中心として任意の方向を向くことができるように構成されており、アンテナ１１とアンテナ１２を、車両１の進行方向と同一方向に並ばせる。
【００８９】
具体的には、アンテナ回動部８２５は、車両１が正面に対して角度ｙの方向に進行しているとすると、アンテナ１１とアンテナ１２が車両１の正面に対して角度ｙの向きで並ぶように回転する。このように、車両１の進行方向に合わせて、アンテナ１１とアンテナ１２の並ぶ方向を変更することにより、アンテナ１１とアンテナ１２を進行方向に対して常に直線上に配置させ、適応変調の精度を向上させることができる。
【００９０】
なお、車両１の進行方向は、車両１の前輪の向きｘや、ハンドルを切った角度を変換して取得することとしてもよいし、車両１や移動局８０に加速度センサを搭載して取得することとしてもよい。
【００９１】
図１３は、本実施例に係る移動局８０の構成を示す機能ブロック図である。図１３に示すように、移動局８０は、アンテナ１１と、アンテナ１２と、アンテナ回動部８２５と、進行方向取得部８２６と、角度決定部８２７と、ＤＵＰ１２１と、復調化／復号部１３１と、受信品質測定部１４２と、速度取得部１５１と、遅延量決定部１５２と、遅延処理部１５３と、受信品質情報生成部１６１と、符号化／変調部１６２とを有する。
【００９２】
アンテナ回動部８２５は、アンテナ１１とアンテナ１２が並ぶ向きを変化させる。進行方向取得部８２６は、移動局８０の進行方向を示す情報を取得する。角度決定部８２７は、進行方向取得部８２６によって取得された情報に基づいて、アンテナ回動部８２５がどれだけの角度回転すれば、アンテナ１１とアンテナ１２を進行方向に対して直線上に配置されるかを算出し、算出結果をアンテナ回動部８２５に出力する。
【００９３】
上述してきたように、本実施例では、進行方向の変化に合わせて、アンテナ１１とアンテナ１２が並ぶ向きを変化させることとしたので、アンテナ１１とアンテナ１２を進行方向に対して常に直線上に配置させ、適応変調の精度を向上させることができる。
【実施例９】
【００９４】
実施例８では、アンテナを進行方向に対して常に直線上に配置させるためにアンテナを回転移動させることとしたが、受信品質を測定するためのアンテナを、データを受信するためのアンテナからみた方向がそれぞれ異なるように複数設けることによっても同様の効果を得ることができる。そこで、本実施例では、受信品質を測定するためのアンテナを、データを受信するためのアンテナからみた方向がそれぞれ異なるように複数設ける場合の移動局１０の変形例を示す。
【００９５】
図１４は、本実施例に係る移動局９０を搭載する車両１の旋回中の状態を示す図である。図１４に示すように、移動局９０においては、アンテナ１１からみた方向がそれぞれ異なるようにアンテナ１２ａ〜１２ｅが設置される。そして、アンテナ１２ａ〜１２ｅのうち、アンテナ１１からみた方向が、車両１の進行方向に最も近いものの受信品質を用いて適応変調がおこなわれる。
【００９６】
例えば、車両１が正面に対して角度ｙの方向に進行しているとすると、アンテナ１１からみた角度が角度ｙに最も近いアンテナ１２ｂの受信品質を用いて適応変調がおこなわれる。なお、車両１の進行方向は、車両１の前輪の向きｘや、ハンドルを切った角度を変換して取得することとしてもよいし、車両１や移動局９０に加速度センサを搭載して取得することとしてもよい。
【００９７】
図１５は、本実施例に係る移動局９０の構成を示す機能ブロック図である。図１５に示すように、移動局９０は、アンテナ１１と、アンテナ１２ａ〜１２ｅと、アンテナ選択部９２４と、進行方向取得部８２６と、ＤＵＰ１２１と、復調化／復号部１３１と、受信品質測定部１４２と、速度取得部１５１と、遅延量決定部１５２と、遅延処理部１５３と、受信品質情報生成部１６１と、符号化／変調部１６２とを有する。
【００９８】
アンテナ選択部９２４は、進行方向取得部８２６によって取得された情報に基づいて、アンテナ１２ａ〜１２ｅから、アンテナ１１からみた方向が移動局９０の進行方向に最も近いものを選択する。そして、アンテナ選択部９２４は、選択したアンテナの受信した信号を受信品質測定部１４２に出力する。なお、アンテナ１２ａ〜１２ｅとアンテナ１１の距離がそれぞれ異なる場合は、アンテナ選択部９２４は、選択したアンテナとアンテナ１１の距離を遅延量決定部１５２に通知する。
【００９９】
上述してきたように、本実施例では、進行方向の変化に合わせて、アンテナ１２ａ〜１２ｅのいずれかを選択することとしたので、受信品質を測定するためのアンテナとデータを受信するためのアンテナを進行方向に対して常に直線上に配置させ、適応変調の精度を向上させることができる。
【実施例１０】
【０１００】
実施例９では、移動局の進行方向を外部から取得してアンテナを選択する例を示したが、移動局が外部から進行方向に関するデータの供給を受けることなくアンテナを選択するように構成することもできる。そこで、本実施例では、外部から進行方向に関するデータの供給を受けることなくアンテナを選択するように移動局９０を変形した例を示す。
【０１０１】
図１６は、本実施例に係る移動局１００の構成を示す機能ブロック図である。図１６に示すように、移動局１００は、アンテナ１１と、アンテナ１２ａ〜１２ｅと、アンテナ選択部１０２４と、ＤＵＰ１２１と、復調化／復号部１３１と、相関算出部１０５５と、最大相関判定部１０５６と、受信品質測定部１４２と、遅延量決定部１０５２と、遅延処理部１５３と、受信品質情報生成部１６１と、符号化／変調部１６２とを有する。
【０１０２】
相関算出部１０５５は、アンテナ１１が受信する電波の強度と、アンテナ１２ａ〜１２ｅが受信する電波の強度の相関を算出する。具体的には、相関算出部１０５５は、パイロット信号等を基準として、アンテナ１１が受信する電波の強度と、アンテナ１２ａ〜１２ｅが受信する電波の強度を測定する。そして、相関算出部１０５５は、アンテナ１１が受信する電波の強度を所定の期間測定して得られた時間変化波形と、アンテナ１２ａが受信する電波の強度を所定の期間測定して得られた時間変化波形とをΔｔずつ段階的に時間軸方向にずらしながら、相関を段階毎に算出する。また、相関算出部１０５５は、アンテナ１２ｂ〜１２ｅが受信する電波の強度の時間変化波形についても、それぞれ、Δｔずつ段階的に時間軸方向にずらしながら、アンテナ１１が受信する電波の強度の時間変化波形との相関を段階毎に算出する。
【０１０３】
最大相関判定部１０５６は、相関算出部１０５５によって算出された各相関を比較して、どの段階におけるどのアンテナの相関が最も高いかを判定し、相関が最も高い段階でのΔｔの累計値を取得する。そして、最大相関判定部１０５６は、アンテナ１２ａ〜１２ｅの中のどれから最も高い相関が得られたかをアンテナ選択部１０２４に通知するとともに、相関が最も高い段階でのΔｔの累計値を遅延量決定部１０５２へ出力する。
【０１０４】
電波強度の時間変化波形の相関の一例を図１７に示す。図１７は、図１４に示した場面における相関の一例を示しており、タイミング差ｔｍａｘにおいてアンテナ１２ｂとの相関が最も大きくなっている。相関が最も高い段階でのタイミング差ｔｍａｘが、相関が最も高い段階でのΔｔの累計値に相当する。この例の場合、最大相関判定部１０５６は、アンテナ選択部１０２４に対して、アンテナ１２ｂに対応する信号を出力し、ｔｍａｘを遅延量決定部１０５２へ出力する。
【０１０５】
アンテナ選択部１０２４は、アンテナ１２ａ〜１２ｅから、最大相関判定部１０５６によって通知されたものを選択する。そして、アンテナ選択部１０２４は、選択したアンテナの受信した信号を受信品質測定部１４２に出力する。なお、アンテナ１２ａ〜１２ｅとアンテナ１１の距離がそれぞれ異なる場合は、アンテナ選択部１０２４は、選択したアンテナとアンテナ１１の距離を遅延量決定部１０５２に通知する。
【０１０６】
遅延量決定部１０５２は、入力されたΔｔの累計値と、基地局２へ受信品質情報を送信してから対応する送信フォーマットのデータが届くまでの時間Ｄとを式（３）に適用して、遅延量Ｔを算出する。そして、遅延量決定部１０５２は、算出した遅延量Ｔを、遅延処理部１５３へ出力する。
【０１０７】
上述してきたように、本実施例では、電波の強度の相関に基づいて、アンテナ１２ａ〜１２ｅのいずれかを選択することとしたので、外部から進行方向に関するデータの供給を受けることなく、進行方向に位置するアンテナを受信品質を測定するためのアンテナとして選択し、適応変調の精度を向上させることができる。
【０１０８】
以上の各実施例を含む実施形態に関し、さらに以下の付記を開示する。なお、上記の各実施例に示した移動局の構成は、要旨を脱しない範囲で構成を種々に変更することができる。例えば、上記の各実施例に示した移動局の構成を、適宜組み合わせて移動局を構成することとしてもよい。
【０１０９】
（付記１）離間して設けられた第１のアンテナと、第２のアンテナとを備えた移動局において、
該第１のアンテナが設けられた位置から該第２のアンテナが設けられた位置に向けた方向に該移動局が移動する場合に、基地局から該第２のアンテナを介して受信した無線信号の受信品質を測定する受信品質測定部と、
該受信品質測定部で測定した受信品質を前記基地局に通知する通知部と、
該通知部により通知された受信品質に基づいて適応変調制御を行う該基地局から送信され、前記第１のアンテナを介して受信した無線信号の受信処理を行う受信処理部と
を備えたことを特徴とする移動局。
【０１１０】
（付記２）前記通知は、前記適応変調制御が行われるタイミングに合わせて、遅延して実行されることを特徴とする付記１に記載の移動局。
【０１１１】
（付記３）前記受信処理は、前記移動局の移動により、前記受信品質が測定された際に前記第２のアンテナが位置していたエリアに、前記第１のアンテナが位置する際に行われることを特徴とする付記１に記載の移動局。
【０１１２】
（付記４）該移動局が前記第１のアンテナと前記第２のアンテナの距離だけ進行方向に移動するのに要する時間から、該移動局と前記基地局の間で情報をやり取りするために要する時間を減算した値に基づいて、遅延時間を決定する遅延量決定部と、
前記受信品質測定部によって測定された受信品質が前記基地局に通知されるタイミングを前記遅延量決定部によって決定された遅延時間だけ遅延させる遅延処理部と
を備えたことを特徴とする付記１に記載の移動局。
【０１１３】
（付記５）当該の移動局の移動速度を取得する移動速度取得部をさらに備え、
前記遅延量決定部は、前記移動速度取得部によって取得された移動速度と、前記第１のアンテナと前記第２のアンテナの距離とに基づいて、当該の移動局が前記第１のアンテナと前記第２のアンテナの距離だけ進行方向に移動するのに要する時間を算出することを特徴とする付記４に記載の移動局。
【０１１４】
（付記６）当該の無線通信端末装置の進行方向に前記第２のアンテナから所定の距離だけ離れた位置に設けられた第３のアンテナと、
前記第３のアンテナの受信品質を測定する第２の受信品質測定部と、
当該の無線通信端末装置の移動にともなって前記第１のアンテナが前記第３のアンテナの位置に達するまでの時間から、当該の無線通信端末装置と前記基地局の間で情報をやり取りするために要する時間を減算した値に基づいて、遅延時間を決定する第２の遅延量決定部と、
前記第２の受信品質測定部によって算出された受信品質が前記基地局に送信されるタイミングを前記第２の遅延量決定部によって決定された遅延時間だけ遅延させる第２の遅延処理部をさらに備え、
前記通知部は、前記遅延処理部によって送信タイミングが遅延された受信品質と、前記第２の遅延処理部によって送信タイミングが遅延された受信品質とを合成して前記基地局へ通知することを特徴とする付記４に記載の移動局。
【０１１５】
（付記７）前記通知部は、前記遅延処理部によって送信タイミングが遅延された受信品質と、前記受信品質測定部によって測定され、送信タイミングが遅延されていない受信品質とを合成して前記基地局へ通知することを特徴とする付記４に記載の移動局。
【０１１６】
（付記８）前記第１のアンテナの受信品質を測定する第２の受信品質測定部と、
前記第２の受信品質測定部によって測定された受信品質が前記基地局に送信されるタイミングを前記遅延量決定部によって決定された遅延時間だけ遅延させる第２の遅延処理部とをさらに備え、
前記通知部は、前記遅延処理部によって送信タイミングが遅延された受信品質と、前記受信品質測定部によって測定され、送信タイミングが遅延されていない受信品質と、前記第２の遅延処理部によって送信タイミングが遅延された受信品質と、前記第２の受信品質測定部によって測定され、送信タイミングが遅延されていない受信品質とを合成して前記基地局へ通知することを特徴とする付記４に記載の移動局。
【０１１７】
（付記９）前記第１のアンテナの受信品質を測定する第２の受信品質測定部をさらに備え、
前記遅延量決定部は、前記受信品質測定部によって測定された受信品質と前記第２の受信品質測定部によって測定された受信品質の相関に基づいて、当該の移動局が前記第１のアンテナと前記第２のアンテナの距離だけ進行方向に移動するのに要する時間を求めることを特徴とする付記４に記載の移動局。
【０１１８】
（付記１０）前記遅延量決定部によって決定される遅延時間が、０以上、かつ、所定の閾値以下となるように前記第１のアンテナと前記第２のアンテナの距離を変化させるアンテナ駆動部をさらに備えたことを特徴とする付記４に記載の移動局。
【０１１９】
（付記１１）複数のアンテナから、前記遅延量決定部によって決定される遅延時間が、０以上、かつ、最小となるアンテナを前記第２のアンテナとして選択するアンテナ選択部をさらに備えたことを特徴とする付記４に記載の移動局。
【０１２０】
（付記１２）前記第１のアンテナからみて前記第２のアンテナが当該の移動局の進行方向に位置するように、前記第１のアンテナと前記第２のアンテナを回動させるアンテナ回動部をさらに備えたことを特徴とする付記１に記載の移動局。
【０１２１】
（付記１３）複数のアンテナから、前記第１のアンテナからみて当該の移動局の進行方向に最も近いアンテナを前記第２のアンテナとして選択するアンテナ選択部をさらに備えたことを特徴とする付記１に記載の移動局。
【０１２２】
（付記１４）複数のアンテナから、前記第１のアンテナと受信品質の相関が最も高いアンテナを前記第２のアンテナとして選択するアンテナ選択部をさらに備えたことを特徴とする付記１に記載の移動局。
【０１２３】
（付記１５）基地局において、
離間して設けられた第１のアンテナと、第２のアンテナとを備えた移動局が該第１のアンテナが設けられた位置から該第２のアンテナが設けられた位置に向けた方向に移動する場合に、該移動局が該第２のアンテナを介して該基地局から受信した無線信号の受信品質の通知を受信する受信部と、
受信した該受信品質に基づいて送信信号について適応変調制御を行う適応変調制御部と、
該適応変調制御が行われた前記送信信号を前記移動局が前記第１のアンテナで受信可能なように送信する送信部と、
を備えたことを特徴とする基地局。
【図面の簡単な説明】
【０１２４】
【図１】実施例１に係る適応変調方法を示す図である。
【図２】実施例１に係る移動局の構成を示す機能ブロック図である。
【図３】基地局の構成を示す機能ブロック図である。
【図４】実施例２に係る移動局の構成を示す機能ブロック図である。
【図５】実施例３に係る移動局の構成を示す機能ブロック図である。
【図６】ＨＳＤＰＡでＡＭＣを用いた場合のスループットのシミュレーション結果を示す図である。
【図７】実施例４に係る移動局の構成を示す機能ブロック図である。
【図８】実施例５に係る移動局の構成を示す機能ブロック図である。
【図９】受信品質の時間変化波形の相関の一例を示す図である。
【図１０】実施例６に係る移動局の構成を示す機能ブロック図である。
【図１１】実施例７に係る移動局の構成を示す機能ブロック図である。
【図１２】実施例８に係る移動局を搭載する車両の旋回中の状態を示す図である。
【図１３】実施例８に係る移動局の構成を示す機能ブロック図である。
【図１４】実施例９に係る移動局を搭載する車両の旋回中の状態を示す図である。
【図１５】実施例９に係る移動局の構成を示す機能ブロック図である。
【図１６】実施例１０に係る移動局の構成を示す機能ブロック図である。
【図１７】電波強度の時間変化波形の相関の一例を示す図である。
【図１８】フェージング環境の一例を示す図である。
【図１９】適応変調の概要を示す図である。
【符号の説明】
【０１２５】
１  車両
２  基地局
２１  アンテナ
２２  ＤＵＰ
２３  復調化／復号部
２４  送信フォーマット決定部
２５  符号化／変調部
１０、２０、３０、４０、５０、６０、７０、８０、９０、１００  移動局
１１、１２、１２ａ〜１２ｅ、１３  アンテナ
１２１、３２２  デュプリケータ（ＤＵＰ）
６２３  アンテナ駆動部
７２４、９２４、１０２４  アンテナ選択部
８２５  アンテナ回動部
８２５ａ  軸
８２６  進行方向取得部
８２７  角度決定部
１３１、３３１  復調化／復号部
１４２、２４３、４４１  受信品質測定部
１５１  速度取得部
１５２、２５２、４５２、５５２、６５２、７５２、１０５２  遅延量決定部
１５３、２５４、４５４  遅延処理部
５５５、１０５５  相関算出部
５５６、１０５６  最大相関判定部
１６１  受信品質情報生成部
１６２  符号化／変調部
２６１、４６１、５６１  重み決定部
２６２ａ〜２６２ｂ、４６２ａ〜４６２ｄ  演算部
２７１、３７１、４７１  受信品質合成部
【図１】
2010021647.tif 000003
【図２】
2010021647.tif 000004
【図３】
2010021647.tif 000005
【図４】
2010021647.tif 000006
【図５】
2010021647.tif 000007
【図６】
2010021647.tif 000008
【図７】
2010021647.tif 000009
【図８】
2010021647.tif 000010
【図９】
2010021647.tif 000011
【図１０】
2010021647.tif 000012
【図１１】
2010021647.tif 000013
【図１２】
2010021647.tif 000014
【図１３】
2010021647.tif 000015
【図１４】
2010021647.tif 000016
【図１５】
2010021647.tif 000017
【図１６】
2010021647.tif 000018
【図１７】
2010021647.tif 000019
【図１８】
2010021647.tif 000020
【図１９】
2010021647.tif 000021